(57)【要約】      （修正有）【課題】シンプルな構造で組み立て易いフォトスタンドを提供する。【解決手段】透明アクリル樹脂等からなる矩形ボード５，６間に写真等が挟持されており、該矩形ボードの各４辺を金属製又はプラスチック製の断面コ状のフレーム２で挟持するようにしてフォトスタンドを構成する。さらに、矩形ボード５，６の周縁に沿って条溝６１が形成されており、金属製又はプラスチック製の断面コ状のフレーム２の内側先端部に一体的に形成された突条２２を前記条溝に当接するように構成して、容易に組み立てができるフォトスタンドとする。【選択図】図２
0003167502.tif 000002
【実用新案登録請求の範囲】
【請求項１】
透明アクリル樹脂等からなる二枚の矩形ボード間に写真等が挟持されており、該矩形ボードの各４辺を金属製又はプラスチック製の断面コ状のフレームで挟持するように構成したことを特徴とするフォトスタンド。
【請求項２】
透明アクリル樹脂等からなる前面矩形ボードの周縁に沿って条溝が形成されており、金属製又はプラスチック製の断面コ状のフレームの内側先端部に一体的に形成された突条が前記条溝に当接するように構成したことを特徴とする請求項１記載のフォトスタンド。
【請求項３】
金属製又はプラスチック製の断面コ状のフレームの内側に、矩形ボードを挟持する際に該矩形ボードの嵌着位置を規制する突条ストッパーが一体的に形成されていることを特徴とする請求項１記載のフォトスタンド。
【請求項４】
透明アクリル樹脂等からなる矩形ボードの背面に棒状スタンド補助部品を螺合できるように構成したことを特徴とする請求項１記載のフォトスタンド。
【請求項５】
フレーム側面に板状スタンド補助部品の基部を嵌着し、リバーシブルに利用可能に構成したことを特徴とする請求項１記載のフォトスタンド。
【考案の詳細な説明】
【技術分野】
【０００１】  本考案は極めてシンプルな構造で組み立て易いフォトスタンドに関する。
【背景技術】
【０００２】  従来は多くの写真立てが考案されており、その一例として、実用新案登録第３１２８０７８号公報に見られるようなフォトスタンドが開示されている。
【先行技術文献】
【特許文献】
【０００３】
【特許文献１】  実用新案登録第３１２８０７８号
【考案の概要】
【考案が解決しようとする課題】
【０００４】  前記せる実用新案登録第３１２８０７８号公報では、オモテ板とウラ板の２枚セットからなり、１枚のウラ板の表面と裏面に異なる配色を施したアクリル製写真立てであって、４カ所のネジ止めをするものである。【０００５】  また、下方に長めの固定ネジを利用し、固定ネジの突出部によってフォトスタンドを立てるものであった。
しかしながら、このフォトスタンドで写真等を入れ替えたりする場合は、４カ所のネジを取り外して写真等の交換をし、更に写真等を配置した状態を保ちながら、４カ所のネジを螺合する為に手間のかかるものであった。
【課題を解決するための手段】
【０００６】  これに対して、本考案は極めてシンプルな構造で組み立て易いフォトスタンドを提供するものであり、透明アクリル樹脂等からなる二枚の矩形ボード間に写真等が挟持されており、該矩形ボードの各４辺を金属製又はプラスチック製の断面コ状のフレームで挟持するように構成したことを特徴とし、透明アクリル樹脂等からなる前面矩形ボードの周縁に沿って条溝が形成されており、金属製又はプラスチック製の断面コ状のフレームの内側先端部に一体的に形成された突条が前記条溝に当接するように構成したことを特徴とし、金属製又はプラスチック製の断面コ状のフレームの内側に、矩形ボードを挟持する際に該矩形ボードの嵌着位置を規制する突条ストッパーが一体的に形成されていることを特徴とし、透明アクリル樹脂等からなる矩形ボードの背面に棒状スタンド補助部品を螺合できるように構成したことを特徴とし、且つ、フレーム側面に板状スタンド補助部品の基部を嵌着し、リバーシブルに利用可能に構成したことを特徴とするフォトスタンドを提供する。
【考案の効果】
【０００７】  本考案のフォトスタンドによれば、透明アクリル樹脂等からなる二枚の矩形ボード間に写真等を挟持し、該矩形ボードの各４辺に対して、金属製又はプラスチック製の断面コ状のフレームを各々ワンタッチで装着することにより容易に矩形ボードを挟持することができるので、極めてシンプルな構造で容易に写真等を装着でき、しかもリバーシブルにも使用できるものである。
【図面の簡単な説明】
【０００８】
【図１】本考案のフォトスタンドの平面図である。
【図２】図１のＡ−Ａ線断面の拡大断面図である。
【図３】本考案フォトスタンドの組立て手順説明図である。
【図４】本考案フォトスタンドに棒状スタンド補助部品を取付けた斜視図である。
【図５】棒状スタンド補助部品の取付け断面図である。
【図６】棒状スタンド補助部品の取付け断面図である。
【図７】フレームによる矩形ボードの挟持状態を示す斜視図である。
【図８】本考案フォトスタンドに板状スタンド補助部品を取付けた斜視図である。
【考案を実施するための形態】
【０００９】  以下、図面に基づいて、本考案を実施するための形態を具体的に説明する。
図面に於いて、図１は本考案のフォトスタンドの平面図である。図２は図１のＡ−Ａ線断面の拡大断面図である。図３は本考案フォトスタンドの組立て手順説明図である。図４は本考案フォトスタンドに棒状スタンド補助部品を取付けた斜視図である。図５は棒状スタンド補助部品の取付け断面図である。図６は棒状スタンド補助部品の取付け断面図である。図７はフレームによる矩形ボードの挟持状態を示す斜視図である。図８は本考案フォトスタンドに板状スタンド補助部品を取付けた斜視図である。
【００１０】  本考案のフォトスタンドは、基本的に図１乃至図２に示すように、写真等が挟持される矩形ボード５，６の各４辺を金属製又はプラスチック製の断面コ状のフレーム１，２，３，４で挟持するように構成した極めてシンプルな構造のリバーシブルフォトフレームである。
【００１１】  図２乃至図７に示すように、透明アクリル樹脂等からなる矩形ボード６の周縁に沿って条溝６１が形成されており、金属製又はプラスチック製の断面コ状のフレーム１，２，３，４の内側先端部には一体的に形成された突条２２が前記条溝６１に当接するように構成されている。
【００１２】  図２、図３、図７に示すように、金属製又はプラスチック製の断面コ状のフレーム２の内側に、矩形ボード５，６を挟持する際に、該矩形ボード５，６の嵌着位置を規制するための突条ストッパー２１が該フレーム２と一体的に形成されている。
【００１３】  また、前記せる突条ストッパー２１は、フレーム１、２、３、４の全てのフレームに一体的に形成されている。
【００１４】  次いで、図３に基づき、本考案のフォトスタンドの組立て手順について説明する。
【００１５】  金属製又はプラスチック製の断面コ状のフレーム１、２、３、４の内側先端部には一体的に形成された突条２２が形成されているので、該突条２２を矩形ボード６の条溝６１に当接してＢ方向に回せば、極めて容易にフレーム１、３、４を図２に示すように順次嵌着することができ、図１に示すように容易に完成させることができる。
【００１６】  図１のように完成されたフォトスタンドは、机上やサイドボードの上に載置できるように、図４、図５、図６に示すような棒状スタンド補助部品７を矩形ボード５に取付けて利用することができる。
【００１７】  図５では棒状スタンド補助部品７の取付け断面を示されている。
【００１８】  矩形ボード５にオスねじ部５１が接着剤等を介して立設されており、該オスねじ部５１に棒状スタンド補助部品７のメスねじ部７１が螺合されている。
【００１９】  図６では棒状スタンド補助部品７の螺合部７２が直接矩形ボード５に螺合されている。
【００２０】  また、図８に示すようにフレーム４の側面に板状スタンド補助部品８の嵌着部８１を嵌めて使用することができ、この場合はリバーシブルとしても利用できるものである。
【００２１】  更に、透明アクリル樹脂以外の材質からなる矩形ボードにおいても、周縁に沿って条溝が形成され、金属製又はプラスチック製の断面コ状のフレームの内側先端部に一体的に形成された突条を前記条溝に当接するように構成することもでき、矩形ボードの材質を変えても本考案の技術範囲に属するものである。
【産業上の利用可能性】
【００２１】  以上説明したように、本考案のフォトスタンドによれば、極めてシンプルな構造で、容易に写真等をセットすることができ、一般家庭や学校等において、極めて便利に使用できる可能性の高いものである。
【符号の説明】
【００２２】  １．フレーム
２．フレーム
２１．突条ストッパー
２２．突条
３．フレーム
４．フレーム
５．矩形ボード
５１，オスねじ部
６．矩形ボード
６１．条溝
７．棒状スタンド補助部品
７１．メスねじ部
７２．螺合部
８．板状スタンド補助部材
８１．嵌着部
【図１】
0003167502.tif 000003
【図２】
0003167502.tif 000004
【図３】
0003167502.tif 000005
【図４】
0003167502.tif 000006
【図５】
0003167502.tif 000007
【図６】
0003167502.tif 000008
【図７】
0003167502.tif 000009
【図８】
0003167502.tif 000010